(57)【要約】  本発明の装置は、放送サービスのための高速パケットデータ移動通信システムにおけるパケットデータシンボルを送信するための装置であって、送信する物理階層パケットを符号化、インターリービング及び変調し、変調されたシンボルをデータトーンに配置して出力する送信処理機と、データトーンに境界トーン及びパイロットトーンを挿入するトーン挿入機と、パケットデータシンボルがスロットに含まれる位置によってパイロットトーンとデータトーンの電力比を異なるように適用して電力を割り当てるトーン電力割り当て機と、パケットデータシンボルを伝送する送信機とを含む。
2008522540.tif 000002
【特許請求の範囲】
【請求項１】
放送サービスのための高速パケットデータ移動通信システムにおけるパケットデータシンボルを送信するための装置であって、
送信する物理階層パケットを符号化、インターリービング及び変調し、変調されたシンボルをデータトーンに配置して出力する送信処理機と、
前記データトーンに境界トーン及びパイロットトーンを挿入するトーン挿入機と、
前記パケットデータシンボルがスロットに含まれる位置によって前記パイロットトーンとデータトーンの電力比を異なるように設定して電力を割り当てるトーン電力割り当て機と、
前記パケットデータシンボルを伝送する送信機と
を含むことを特徴とする移動通信システムにおけるパケットデータシンボル送信装置。
【請求項２】
前記トーン電力割り当て機が、
前記パケットデータシンボルが前記スロットの外部に位置すれば第１電力比を適用してパイロットトーンとデータトーンの電力を割り当てて、前記パケットデータシンボルが前記スロットの内部に位置すれば第２電力比を適用してパイロットトーンとデータトーンの電力を割り当てることを特徴とする請求項１記載の移動通信システムにおけるパケットデータシンボル送信装置。
【請求項３】
前記トーン電力割り当て機において、パケットデータシンボルがスロットに含まれる位置によって異なるように適用した前記パイロットトーンとデータトーンの電力比を信号メッセージに含めて伝送することを特徴とする請求項１記載の移動通信システムにおけるパケットデータシンボル送信装置。
【請求項４】
前記信号メッセージは、直流パイロットトーン電力とデータトーンの電力比に対する情報を含むことを特徴とする請求項３記載の移動通信システムにおけるパケットデータシンボル送信装置。
【請求項５】
前記信号メッセージは、
前記パイロットトーン電力とデータトーンの電力比の値を含むか否かを表すフィールド、１つのスロットで伝送されるシンボルのうち、内部シンボルの伝送のために使用するパイロットトーン電力とデータトーンの電力比の値を含むフィールド、１つのスロットで伝送されるシンボルのうち、外部シンボルの伝送のために使用するパイロットトーン電力とデータトーンの電力比の値を含むフィールドのうち、１つ以上を含むことを特徴とする請求項３記載の移動通信システムにおけるパケットデータシンボル送信装置。
【請求項６】
前記信号メッセージは、
前記パケットデータシンボル伝送時、各インターレース別に各々異なるパイロットトーン電力とデータトーンの電力比の値を適用するためのパイロットトーン電力とデータトーン電力の比に対する情報を含むことを特徴とする請求項３記載の移動通信システムにおけるパケットデータシンボル送信装置。
【請求項７】
前記信号メッセージは、
前記パイロットトーン電力とデータトーンの電力比の値を含むか否かを表すフィールドと、各インターレーススロットを利用して伝送するための情報を含むか否かを表すフィールドと、各インターレースに含まれる１つのスロットで伝送されるシンボルのうち、内部シンボルの伝送のために使用するパイロットトーン電力とデータトーンの電力比の値を含むフィールドと、各インターレースに含まれる１つのスロットで伝送されるＯＦＤＭシンボルのうち、外部シンボルの伝送のために使用するパイロットトーン電力とデータトーンの電力比の値を表すフィールドのうち、１つ以上を含むことを特徴とする請求項３記載の移動通信システムにおけるパケットデータシンボル送信装置。
【請求項８】
前記トーン電力割り当て機は、
前記パケットデータシンボル伝送時、各インターレース別に各々異なるパイロットトーン電力とデータトーンの電力比を適用することを特徴とする請求項１記載の移動通信システムにおけるパケットデータシンボル送信装置。
【請求項９】
放送サービスのための高速パケットデータ移動通信システムにおけるパケットデータシンボルを送信するための方法であって、
送信する物理階層パケットを符号化、インターリービング及び変調し、変調されたシンボルを生成し、データトーンに配置する過程と、
前記データトーンに境界トーン及びパイロットトーンを挿入する過程と、
前記パケットデータシンボルがスロットに含まれる位置によって前記パイロットトーンとデータトーンの電力比を異なるように適用して電力を割り当てるトーン電力割り当て過程と、
前記パケットデータシンボルを伝送する過程と
を含むことを特徴とする移動通信システムにおけるパケットデータシンボル送信方法。
【請求項１０】
前記トーン電力割り当て過程は、
前記パケットデータシンボルが前記スロットの外部に位置すれば第１電力比を適用してパイロットトーンとデータトーンの電力を割り当てて、前記パケットデータシンボルが前記スロットの内部に位置すれば第２電力比を適用してパイロットトーンとデータトーンの電力を割り当てることを特徴とする請求項９記載の移動通信システムにおけるパケットデータシンボル送信方法。
【請求項１１】
前記パケットデータシンボルがスロットに含まれる位置によって異なるように適用した前記パイロットトーンとデータトーンの電力比を信号メッセージに含めて伝送する過程を更に含むことを特徴とする請求項９記載の移動通信システムにおけるパケットデータシンボル送信方法。
【請求項１２】
前記信号メッセージは、直流パイロットトーン電力とデータトーンの電力の比に対する情報を含むことを特徴とする請求項１１記載の移動通信システムにおけるパケットデータシンボル送信方法。
【請求項１３】
前記信号メッセージは、
前記パイロットトーン電力とデータトーンの電力比の値を含むか否かを表すフィールド、１つのスロットで伝送されるシンボルのうち、内部シンボルの伝送のために使用するパイロットトーン電力とデータトーンの電力比の値を含むフィールド、１つのスロットで伝送されるシンボルのうち、外部シンボルの伝送のために使用するパイロットトーン電力とデータトーンの電力比の値を含むフィールドのうち、１つ以上を含むことを特徴とする請求項１１記載の移動通信システムにおけるパケットデータシンボル送信方法。
【請求項１４】
前記信号メッセージは、
前記パケットデータシンボル伝送時、各インターレース別に各々異なるパイロットトーン電力とデータトーンの電力比の値を適用するためのパイロットトーン電力とデータトーン電力の比に対する情報を含むことを特徴とする請求項１１記載の移動通信システムにおけるパケットデータシンボル送信方法。
【請求項１５】
前記信号メッセージは、
前記パイロットトーン電力とデータトーンの電力比の値を含むか否かを表すフィールドと、各インターレーススロットを利用して伝送するための情報を含むか否かを表すフィールドと、各インターレースに含まれる１つのスロットで伝送されるシンボルのうち、内部シンボルの伝送のために使用するパイロットトーン電力とデータトーンの電力比の値を含むフィールドと、各インターレースに含まれる１つのスロットで伝送されるＯＦＤＭシンボルのうち、外部シンボルの伝送のために使用するパイロットトーン電力とデータトーンの電力比の値を表すフィールドのうち、１つ以上を含むことを特徴とする請求項１１記載の移動通信システムにおけるパケットデータシンボル送信方法。
【請求項１６】
前記パケットデータシンボル伝送時、各インターレース別に各々異なるパイロットトーン電力とデータトーンの電力比の値を適用することを特徴とする請求項９記載の移動通信システムにおけるパケットデータシンボル送信方法。
【請求項１７】
放送サービスのための高速パケットデータ移動通信システムにおけるパケットデータシンボルを受信するための方法であって、
前記パケットデータシンボル位置によって各々割り当てられたパイロットトーンとデータトーンの電力比の情報を受信すれば、前記シンボル位置によるパイロットトーンとデータトーンの電力比を格納する過程と、
前記受信されたパケットがＯＦＤＭパケットである場合、ＯＦＤＭパケットのデータシンボルを抽出し、逆拡散してデータトーンとパイロットトーンを抽出する過程と、
前記ＯＦＤＭパケットのパイロットトーンとデータトーンの電力比を利用してチャネルを推定する過程と、
前記チャネル推定情報を利用して前記データトーンからデータを復元する過程と
を含むことを特徴とする移動通信システムにおけるパケットデータシンボル受信方法。
【請求項１８】
前記チャネルを推定する過程は、
前記パケットデータシンボルが前記スロットの外部に位置すれば前記電力比の値のうち、第１電力比を適用してチャネルを推定し、前記パケットデータシンボルが前記スロットの内部に位置すれば前記電力比の値のうち、第２電力比を適用してチャネルを推定することを特徴とする請求項１７記載の移動通信システムにおけるパケットデータシンボル受信方法。
【請求項１９】
前記データを復元する過程は、
前記チャネル推定された情報を利用して前記データトーンを復調する過程と、
前記復調した信号をディインターリービングする過程と、
前記ディインターリービングされた信号を復号する過程と
を含むことを特徴とする請求項１７記載の移動通信システムにおけるパケットデータシンボル受信方法。
【請求項２０】
放送サービスのための高速パケットデータ移動通信システムにおけるパケットデータシンボルを受信するための装置であって、
制御メッセージを受信してパケットデータシンボル位置によって各々割り当てられたパイロットトーンとデータトーンの電力比を抽出し、チャネル推定重み付け値を決定し、パイロットトーンとデータトーンの電力比によってチャネルを推定するチャネル推定部と、
受信されたＯＦＤＭシンボルをパイロットトーンとデータトーンとに仕分けて、前記パイロットトーンを前記チャネル推定部に提供し、データトーンを出力するＯＦＤＭ処理部と、
前記チャネル推定部から提供されたチャネル推定情報を適用したデータトーンを受信して伝送された情報を復元するデータ復元部と
を含むことを特徴とする移動通信システムにおけるパケットデータシンボル受信装置。
【請求項２１】
前記チャネル推定部は、
制御メッセージを受信する電力比メッセージ受信機と、
前記電力比メッセージ受信機の出力からチャネル推定重み付け値を決定するためのチャネル推定重み付け値決定器と、
前記チャネル推定重み付け値とパイロットトーンを受信してパイロットトーンの位置及び電力によるチャネル推定値を決定するチャネル推定器と
を含むことを特徴とする請求項２０記載の移動通信システムにおけるパケットデータシンボル受信装置。
【請求項２２】
前記データ復元部は、
チャネル推定部から提供されたチャネル推定値を利用して前記データトーンを復調する復調器と、
前記復調した信号をディインターリービングするディインターリーバと、
前記ディインターリービングされた信号を復号する復号器と
を含むことを特徴とする請求項２０記載の移動通信システムにおけるパケットデータシンボル受信装置。
【発明の詳細な説明】
【技術分野】
【０００１】
本発明は、無線パケット通信システムにおける放送サービスを提供するための方法及び装置に関し、特にＯＦＤＭ（Orthogonal Frequency Division Multiplexing）伝送方式を利用する放送システムにおいて、パイロットトーンの電力の割り当てを制御するための装置及び方法に関する。
【背景技術】
【０００２】
現在まで放送プログラム、またはマルチキャストサービス（ＢＣＭＣＳ：Broadcast  and Multicast Services）のように、放送サービスを提供するための無線伝送方式は、固定された端末の受信または低いデータ率の移動端末での受信を目的として開発された。したがって、最近、このようなサービスを高速移動環境で小型の端末機で受信することができるようにするための研究が活発に進行している。前述した放送、またはＢＣＭＣＳのための方式のうち、ディジタル多重放送（ＤＭＢ：Digital Multimedia Broadcast）とディジタルビデオ放送（ＤＶＢ−Ｈ：Digital Video Broadcast Handheld）などの放送技術は、携帯可能な大きさの小型端末でビデオ水準の放送を受信するために開発された技術である。また、ＤＭＢ技術とＤＶＢ−Ｈ技術では、既存の単方向放送サービスを双方向に発展させようとする研究も並行して来た。このために、既存の有無線通信網をリターンチャネル（Return Channel）として活用する方案が摸索されている。しかしながら、このような接近は放送と通信が互いに異なる伝送方式を使用しているので、根本的な双方向放送の具現に限界がある。
【０００３】
一方、一般的に無線パケット通信システムが支援するサービスは、特定送信者と特定受信者との間に情報を交換する通信サービスである。通信サービスにおいて、互いに異なる受信者は互いに異なるチャネルを介して情報を受信する。ところが、無線パケット移動通信システムでは、チャネル間の隔離度が低いため、干渉により性能が劣る特徴を有する。現存する移動通信システムでは、チャネル間の隔離度を高めるためにＣＤＭＡ（Code Division Multiple Access）、ＴＤＭＡ（Time Division Multiple Access）、ＦＤＭＡ（Frequency Division Multiple Access）のような多重接続方式とセルラーの概念を使用している。しかしながら、このような技術を通じて根本的に干渉を抑制する効果が得られないので、干渉が相変わらず性能を制限する要素として作用する。
【０００４】
一方、ＢＣＭＣＳは通信サービスとは異なり、多数の受信者に送信者が一方的に情報を送出する方式である。同一な情報を受信する使用者は同一なチャネルを共有するため、これら使用者の間には干渉が発生しない。ところが、移動放送サービスの場合には、高速移動環境で発生する多重経路フェーディング現象などが性能を低下させる主な原因となる。これを克服するために、移動受信可能に設計されたＤＶＢ−Ｔ（Digital Video Broadcast Terrestrial）、ＤＶＢ−Ｈ、ＤＡＢ（Digital Audio Broadcast）などのような多数の放送システムはＯＦＤＭ伝送方式を使用している。
【０００５】
放送システムにおいて、ＯＦＤＭ伝送方式が有する長所はＯＦＤＭ伝送方式を使用する場合、多重経路フェーディングが自己干渉を起こす現象を防止することができる。特に、放送サービスではＳＦＮ（Single Frequency Network）を通じて互いに異なる基地局が同一な放送信号を伝送する。更に、ＯＦＤＭ送信方式を通じて互いに異なる基地局が送出した信号が互いに干渉にならないで受信することができる長所を有する。したがって、ＯＦＤＭ伝送方式を放送に適用する場合、干渉が発生しない環境が具現できるので、伝送効率を極大化することができる。
【０００６】
高速パケット移動通信システム（ＨＲＰＤ：High Rate Packet Data）の順方向リンクは多重接続技術としてＴＤＭＡ技法を、多重化方式としてＴＤＭ（Time Division Multiplexing）／ＣＤＭ（Code Division Multiplexing）技法を使用している。
【０００７】
図１は、一般的な高速パケット移動通信システム（ＨＲＰＤ）の順方向リンクのスロット構造を示す図である。
図１に示すように、１つのスロットは半スロット構造が反復された形態を有する。半スロットの中央にはＮｐｉｌｏｔチップ長さのパイロット１０３、１０８が挿入されるが、これは受信端末で順方向リンクのチャネル推定に用いられる。パイロット（Pilot）の両側１０３、１０８には逆方向電力制御情報、資源割り当て情報などを含むＮＭＡＣチップ（chip）長さの媒体接近制御（Medium Access Control；以下、ＭＡＣという）情報１０２、１０４、１０７、１０９が伝送される。そして、ＭＡＣ情報１０２、１０４、１０７、１０９の両側にはＮＤａｔａチップ長さの実際伝送データ１０１、１０５、１０６、１１０が伝送される。このように、パイロット、ＭＡＣ情報、実際データなどが互いに異なる時間に伝送されるＴＤＭ方式により多重化されている。
【０００８】
一方、ＭＡＣとデータ情報はウォルシュ（Walsh）コードを用いたＣＤＭ方式により多重化する方法を利用しており、ＨＲＰＤ順方向リンクシステムでは、Pilotの長さ、ＭＡＣ、データの小ブロック単位の大きさはＮｐｉｌｏｔ＝９６チップ、ＮＭＡＣ＝６４チップ、ＮＤａｔａ＝４００チップに設定されている。
【０００９】
図２は、ＢＣＭＣＳサービス用にＨＲＰＤ順方向スロットのデータ伝送区間にＯＦＤＭシンボルを挿入したスロット構造を示す図である。
ＨＲＰＤ順方向互換性を維持するために、図２に図示されたパイロットとＭＡＣ信号の位置と大きさは、図１に示すようなＨＲＰＤスロットでの位置と大きさが一致するように設定されている。即ち、半スロットの中央にＮｐｉｌｏｔチップ長さのパイロット１０３、１０８が位置し、パイロット信号の両側にＮＭＡＣチップ長さのＭＡＣ信号１０２、１０４、１０７、１０９が位置する。したがって、ＯＦＤＭ基盤放送サービスを支援しない既存のＨＲＰＤ端末機もパイロットを通じてチャネルを推定し、ＭＡＣ信号を受信することができる。スロットの残りの領域、即ちデータ伝送区間１０１、１０５、１０６、１１０では、ＯＦＤＭシンボル１２１、１２２、１２３、１２４を挿入する。このようなＯＦＤＭシンボルはＢＣＭＣＳ情報を変調したものである。
【００１０】
既存のＨＲＰＤ順方向リンクシステムにおいて、ＮＤａｔａ＝４００チップに設定されていたので、ＯＦＤＭシンボルの大きさもＮＤａｔａ＝４００チップである。ＯＦＤＭ方式では、多重経路を通じて時間遅延された受信信号が自己干渉を起こすことを防止するために、サイクリックプリフィクス（Cyclic Prefix；以下、ＣＰという）をＯＦＤＭシンボルの前部に置く。即ち、１つのＯＦＤＭシンボルはＢＣＭＣＳ情報を逆方向高速フーリエ変換（ＩＦＦＴ：Inverse Fast Fourier Transform）したＯＦＤＭデータ１２６とＣＰ１２５から構成される。ＣＰ１２５の大きさはＮＣＰチップであって、ＯＦＤＭデータの後部分でＮＣＰチップだけの信号を複写してＯＦＤＭデータの直前に位置したものである。したがって、ＯＦＤＭデータの大きさは（ＮＤａｔａ−ＮＣＰ）チップとなる。ここで、ＮＣＰは自己干渉を起こす時間遅延をどれぐらい許容するかによって決定される。仮に、ＮＣＰが大きければより多くの遅延受信信号が干渉を起こさないで復調するが、ＯＦＤＭデータの大きさが小さくなるので送ることができる情報量が減る。一方、ＮＣＰが小さければ、送ることができる情報量は大きくなるが、多重経路フェーディングがきびしい環境で自己干渉が発生する確率が高まって受信品質が悪くなる。
【００１１】
ＳＦＮでは、種々の送信機から同一な信号が伝送されるが、この信号が互いに異なる時間によって端末機に受信されるため、ＣＰの大きさを大きくすることが一般的である。ＢＣＭＣＳ用にＯＦＤＭ信号を伝送するＨＲＰＤ順方向リンクシステムでは、ＮＣＰ＝８０チップに設定することが適当である。このような場合、ＯＦＤＭデータの大きさは３２０チップとなる。これは３２０個の変調シンボルをＩＦＦＴしてＯＦＤＭデータ区間に伝送できるということを意味するので、ＯＦＤＭ方式を通じて総３２０個のトーン（Tone）を確保することができる。
【００１２】
しかしながら、３２０個のトーンが全てデータシンボル伝送に用いられることはできない。使用する周波数帯域の縁にある一部のトーンは帯域外信号が干渉で影響を及ぼすことを減らすためのガードトーンとして使用しなければならない。既存のＨＲＰＤ順方向リンクで使用するパイロット１０３、１０８は、送信機毎に互いに異なるコードに拡散されて伝送されるために、ＳＦＮで提供されるＢＣＭＣＳのチャネル推定用途に使用するに適合しない。したがって、ＯＦＤＭ信号のチャネル推定のための専用のパイロットが更に必要である。トーンの一部に送受信機が予め約束した信号を伝送してチャネル推定に利用することができ、このようなトーンをＯＦＤＭ専用パイロットトーンという。ＳＦＮで運用されるＯＦＤＭ方式は相対的に大きい時間遅延を許容するので、周波数選択的フェーディング（Frequency Selective Fading）が深化するようになっている。したがって、きびしい周波数選択的フェーディングでもチャネル推定ができるように充分なパイロットトーンを確保しなければならない。
【００１３】
図３は、高速パケットデータシステムにおける一般的なトーン配置方法を示す図である。
図３を参照すれば、帯域の縁部分には境界トーン（Guard Tone）２０１が配置され、１６個の境界トーンのうち、半分である８個は帯域の低い周波数部分に配置され、残りの８個は帯域の高い周波数部分に配置される。上記の境界トーンには如何なる信号も伝送しない。したがって、境界トーンには電力も適用されない。そして、データトーン（data Tone）２０３は境界帯域の中の部分に配置される。最後に、パイロットトーン（Pilot Tone）２０２はチャネル推定の用途に利用されるため、５個のトーンに１回ずつ等間隔で配置される。最も低い周波数はパイロットトーンから始めて４個の境界トーンが配置され、次にまたパイロットトーンが挿入される構造である。
【００１４】
データトーン２０３が配置された領域でも同様にパイロットトーン２０２が挿入された後、４個のデータトーン２０３が位置し、次にパイロットトーン２０２が配置される。このような方法により各トーンを配置すれば、ＤＣ成分に該当する周波数にパイロットトーン２０２が配置される。このようなパイロットトーン２０２は、ＤＣトーンであるので、伝送される前には電力を割り当てなかったり電力を少なく割り当てることになる。
【００１５】
一方、パイロットトーン２０２とデータトーン２０３に割り当てられる電力許容量は互いに異なる。チャネル状態によってパイロットトーン２０２とデータトーン２０３の電力比の最適解は相異するので、送受信機は予めその値を約束しなければならない。
【００１６】
図４は、高速パケットデータシステムにおける一般的な送信機の構造を示す図である。
図４を参照すれば、送信機は受信されたパケットデータをチャネル符号化するチャネル符号化器３０１と、符号化されたパケットデータをインターリービングするチャネルインターリーバ３０２と、インターリービングされたパケットデータを変調する変調器３０３と、境界トーンを挿入する境界トーン挿入機３０４及びパイロットトーンを挿入するパイロットトーン挿入機３０５を構成する。そして、上記送信機はトーン電力割り当て機３０６と、ＱＰＳＫ拡散器３０７と、ＩＦＦＴ３０８と、ＣＰ挿入機３０９と、ＨＲＰＤ互換（Compatible）プロセッサ３１０を更に構成する。
【００１７】
上位階層で作られた物理階層パケットデータはチャネル符号化器３０１に入力されてチャネル符号化され、チャネル符号化されたビット列はダイバシティー利得を得るためにチャネルインターリーバ３０２を通じて混じることになる。インターリービングされたビット列は変調器３０３に入力されて変調信号に変換される。ここで、変調信号はデータトーン（data Tone）２０３に配置される。
【００１８】
次に、変調器３０３から出力された信号は、境界トーン挿入機３０４に入力されて帯域境界付近に境界トーン２０１に配置され、パイロットトーン挿入機３０５を通じて等間隔でパイロットトーン２０２が配置される。以後、トーン電力割り当て機３０６でパイロットトーン対データトーンに電力比（Ｒ）によって電力を割り当てる。全てのトーンに伝送される信号が割り当てられれば、送信信号はＱＰＳＫ拡散器３０７でＱＰＳＫ拡散過程を経ることになる。このようなＱＰＳＫ拡散過程を通じて互いに異なるＢＣＭＣＳコンテンツを伝送する基地局の信号は互いに異なる複素ＰＮ（Pseudo Noise）列が乗算されることになる。ここで、複素ＰＮ列とは、実数成分と虚数成分が全てＰＮコードから構成された複素数列である。
【００１９】
希望しない基地局の信号は、雑音の形態で受信機に影響を及ぼすために希望しない基地局からのチャネルを分離してチャネル推定できることになる。ＱＰＳＫ拡散過程で使用される複素ＰＮ列はＢＣＭＣＳコンテンツ識別子を入力されて生成される。
【００２０】
ＱＰＳＫ拡散過程を経た変調信号は、逆高速フーリエ変換器３０８で逆高速フーリエ変換過程を通じて希望する周波数トーンの位置に置かれることになる。以後、サイクリックプリフィクス挿入機３０９を通じて多重経路フェーディングによる自己干渉効果を防止するための目的でＣＰを挿入する過程を経た後、送信するＯＦＤＭ信号が完成される。以後、ＨＲＰＤ互換過程は、パイロット１０３、１０８とＭＡＣ１０２、１０４、１０７、１０９などが挿入されるようにＨＲＰＤの送信過程をそのままに従う。最終的には、伝送される信号は図２に図示したようなスロット構造を備えることになる。
【００２１】
上記のような構造を有するＯＦＤＭ ＢＣＭＣＳスロットをＣＤＭスロットの間に伝送する構造に対して図５Ａ及び図５Ｂを参照して説明する。図５Ａは、ＣＤＭスロットの間にＯＦＤＭ ＢＣＭＣＳスロットを伝送するための構造を示す図である。ここで、ＣＤＭスロットは前述した図１のようなスロット構造を有することになり、データ領域ではＣＤＭ方式で多重化した信号を含む。また、ＯＦＤＭ ＢＣＭＣＳスロットは前述した図２のようなスロット構造を有する。
【００２２】
図５Ａのように、ＯＦＤＭ ＢＣＭＣＳスロット４０２がＣＤＭスロット４０１、４０３の間で伝送される時にＯＦＤＭ ＢＣＭＣＳスロット４０２を受信する端末機で上記の各ＯＦＤＭシンボルのチャネル推定過程を説明する。
【００２３】
ＯＦＤＭ ＢＣＭＣＳスロット４０２内には４個のＯＦＤＭシンボル１２１、１２２、１２３、１２４が含まれる。ここで、参照符号１２１と参照符号１２４はスロットの境界に位置したＯＦＤＭシンボルであり、参照符号１２２と参照符号１２３はスロットの中央に位置したＯＦＤＭシンボルである。
【００２４】
一般に、ＯＦＤＭシンボル内ではチャネルが変わらないようにＯＦＤＭシンボルの長さを定めるために、隣接したＯＦＤＭシンボル間にチャネルが変わる程度は大きくないということができる。したがって、スロットの中央に位置したＯＦＤＭシンボルは、チャネルを推定するために周囲のＯＦＤＭシンボルのパイロットトーンを利用することができる。例えば、ＯＦＤＭシンボル１２２のチャネルを推定するために、ＯＦＤＭシンボル１２２のパイロットトーンのみならず、ＯＦＤＭシンボル１２１と１２３のパイロットトーンを利用すればチャネル推定性能を改善することができる。
【００２５】
しかしながら、スロット境界に位置したＯＦＤＭシンボルはチャネル推定過程で周囲のＯＦＤＭシンボルのパイロットトーンを利用することに制約が従う。具体的に説明すれば、ＯＦＤＭシンボル１２１のチャネルを推定するために使用されるパイロットトーンは、ＯＦＤＭシンボル１２１のパイロットトーンとＯＦＤＭシンボル１２２のパイロットトーンである。ＯＦＤＭシンボル１２１が伝送される前にはＢＣＭＣＳ用スロットでないＣＤＭスロットが伝送されたので、チャネル推定に利用するパイロットトーンがないためである。したがって、ＯＦＤＭ ＢＣＭＣＳスロットの中央に位置したＯＦＤＭシンボル１２２、１２３がスロット境界に位置したＯＦＤＭシンボル１２１、１２４に比べてチャネル推定性能が良い。このような理由は、個別パイロットトーンに割り当てられる電力と個別データトーンに割り当てられる電力の比（Ｒ）をＯＦＤＭシンボルの位置に関わらず、１つの値を利用しているためである。
【００２６】
したがって、上記のように構成されるＯＦＤＭ ＢＣＭＣＳスロットの中央に位置したＯＦＤＭシンボルに比べてスロット境界に位置したＯＦＤＭシンボルでデータ伝送時に発生する受信誤りの確率が大きい。
【００２７】
このような現象は、図５Ｂのように、ＯＦＤＭ ＢＣＭＣＳスロットが連続して伝送される場合にも発生する。４０５、４０６、４０７は全てＯＦＤＭ ＢＣＭＣＳスロットであるが、互いに異なる放送情報を伝送するスロットである。４０６ＯＦＤＭ ＢＣＭＣＳスロット４０６の放送情報を受信する端末は、ＯＦＤＭ  ＢＣＭＣＳ４０５とＯＦＤＭ  ＢＣＭＣＳ４０７スロットの受信を必要としない。したがって、連続してＯＦＤＭ ＢＣＭＣＳスロットが伝送される状況でもＯＦＤＭシンボルの位置によって受信誤り確率が異なることができる。
【発明の開示】
【発明が解決しようとする課題】
【００２８】
本発明の目的は、ＯＦＤＭ伝送方式を基盤とする高速パケット移動通信システムにおいて、受信性能を改善するための装置及び方法を提供することにある。
【００２９】
本発明の他の目的は、ＯＦＤＭ伝送方式を基盤とする高速パケット移動通信システムにおいて、ＯＦＤＭシンボルの位置によってパイロットトーンに割り当てられる電力を調節するための装置及び方法を提供することにある。
【課題を解決するための手段】
【００３０】
上記のような本発明の目的を達成するための本発明による装置は、放送サービスのための高速パケット移動通信システムにおけるパケットデータシンボルを送信するための装置であって、送信する物理階層パケットを符号化、インターリービング、及び変調し、変調されたシンボルをデータトーンに配置して出力する送信処理機と、前記データトーンに境界トーン及びパイロットトーンを挿入するトーン挿入機と、前記パケットデータシンボルがスロットに含まれる位置によって前記パイロットトーンとデータトーンの電力比を異なるように設定して電力を割り当てるトーン電力割り当て機と、前記パケットデータシンボルを伝送する送信機とを含むことを特徴とする移動通信システムにおけるパケットデータシンボル送信装置。
【００３１】
上記のような本発明の目的を達成するための本発明による方法は、放送サービスのための高速パケット移動通信システムにおけるパケットデータシンボルを送信するための方法であって、送信する物理階層パケットを符号化、インターリービング、及び変調し、変調されたシンボルをデータトーンに配置する過程と、前記データトーンに境界トーン及びパイロットトーンを挿入する過程と、前記パケットデータシンボルがスロットに含まれる位置によって前記パイロットトーンとデータトーンの電力比を異なるように適用して電力を割り当てるトーン電力割り当て過程と、前記パケットデータシンボルを伝送する過程とを含むことを特徴とする移動通信システムにおけるパケットデータシンボル送信方法。
【００３２】
上記のような本発明の目的を達成するための本発明による方法は、放送サービスのための高速パケット移動通信システムにおけるパケットデータシンボルを受信するための方法であって、前記パケットデータシンボル位置によって各々割り当てられたパイロットトーンとデータトーンの電力比の情報を受信すれば、前記シンボル位置によるパイロットトーンとデータトーンの電力比を格納する過程と、前記受信されたパケットがＯＦＤＭパケットである場合、ＯＦＤＭパケットのデータシンボルを抽出し、逆拡散してデータトーンとパイロットトーンを抽出する過程と、前記ＯＦＤＭパケットのパイロットトーンとデータトーンの電力比を利用してチャネルを推定する過程と、前記チャネル推定情報を利用して前記データトーンからデータを復元する過程とを含むことを特徴とする移動通信システムにおけるパケットデータシンボル受信方法。
【００３３】
上記のような本発明の目的を達成するための本発明による装置は、放送サービスのための高速パケット移動通信システムにおけるパケットデータシンボルを受信するための装置であって、制御メッセージを受信してパケットデータシンボル位置によってパイロットトーンとデータトーンの電力比を抽出し、チャネル推定重み付け値を決定し、トーンの電力比によってチャネルを推定するチャネル推定部と、受信されたＯＦＤＭシンボルをパイロットトーンとデータトーンとに仕分けて、前記パイロットトーンを前記チャネル推定部に提供し、データトーンを出力するＯＦＤＭ処理部と、前記チャネル推定部から提供されたチャネル推定情報を使用したデータトーンから伝送された情報を復元するデータ復元部とを含むことを特徴とする移動通信システムにおけるパケットデータシンボル受信装置。
【発明の効果】
【００３４】
本発明は、ＨＲＰＤと互換性を維持するＯＦＤＭ方式基盤のＢＣＭＣＳ伝送技術において、ＯＦＤＭシンボルの位置によってパイロットトーン電力とデータトーンの電力比を異なる値を設定することにより、スロット境界に位置したＯＦＤＭシンボルのチャネル推定性能を改善し、最終的に受信性能を改善できる効果がある。
【発明を実施するための最良の形態】
【００３５】
以下、添付図面に基づき、本発明の好適な実施の形態について詳細に説明する。なお、本発明を説明するに当たり、関連のある公知の技術または構成についての具体的な説明が本発明の要旨を余計に曖昧にする恐れのあると認められる場合、その詳細な説明は省略する。
【００３６】
ＨＲＰＤと互換性を維持し、ＯＦＤＭ伝送方式を利用するシステムにおいて、ＢＣＭＣＳスロットは連続して伝送されないことができる。したがって、ＯＦＤＭシンボルがスロット境界に位置するか中央に位置するかによってチャネル推定の性能が変わることになるが、スロット境界に位置したＯＦＤＭシンボルはスロット中央に比べてチャネルが不正確に推定される。即ち、個別パイロットトーンに割り当てられる電力と個別データトーンに割り当てられる電力の比（Ｒ）をＯＦＤＭシンボルの位置に関わらず、同一な値を利用するため、スロット境界に位置したＯＦＤＭシンボルで誤りが発生する確率が大きくなる。
【００３７】
したがって、本発明の実施形態では、スロットの位置によってパイロットトーンに割り当てられる電力を調節し、それに関して受信能力を改善できるようにするための方法を提供するようにする。
【００３８】
一般に、パイロットトーンの電力を大きくするほどチャネル推定性能は改善される。しかしながら、パイロットトーン電力とデータトーンの電力に使用する総伝送電力は制限されているために、パイロットトーンの電力を増加させることになればデータトーンの電力を減少しなければならない。仮に、このようにデータトーンの電力を減少することになればデータを復号する過程で誤り発生確率が増加する。したがって、総伝送電力が与えられた時、パイロットトーンに割り当てる電力とデータトーンに割り当てる電力を適切に折衝する必要がある。
【００３９】
したがって、本発明の動作のためには送受信区間に予めスロット境界に位置したＯＦＤＭシンボルで使用する電力比Ｒ＿Ｓｉｄｅとスロットの中央に位置したＯＦＤＭシンボルで使用する電力比Ｒ＿Ｃｅｎｔｅｒの値が約束されていなければならない。このような電力比は初期値を利用することもでき、ＢＣＭＣＳスロットを受信する前に端末が基地局から通報されたものを利用することもできる。即ち、最適のＲ＿ＳｉｄｅとＲ＿Ｃｅｎｔｅｒ値はチャネル状態によって異なるために、送受信区間にこの値を予め約束する。この際、Ｒ＿ＳｉｄｅとＲ＿Ｃｅｎｔｅｒ値の設定時に速いフェーディング環境では他のシンボルのパイロットトーンをチャネル推定に利用することはあまり助けにならないので、Ｒ＿ＳｉｄｅとＲ＿Ｃｅｎｔｅｒを相対的に大きく設定することが好ましい。
【００４０】
図６は、本発明の実施形態に係る放送サービスのための高速パケットデータシステムにおける送信機の構造を示すブロック構成図である。
送信機は、受信されたパケットデータをチャネル符号化するチャネル符号化器３０１と、符号化されたパケットデータをインターリービングするチャネルインターリーバ３０２と、インターリービングされたパケットデータを変調する変調器３０３と、変調器３０３から出力された信号に境界トーンを挿入する境界トーン挿入機３０４と、境界トーン挿入機３０４から出力された信号にパイロットトーンを挿入するパイロットトーン挿入機３０５とを含む。更に、送信機はトーン電力割り当て機６０６と、ＱＰＳＫ拡散器３０７と、逆高速フーリエ変換器３０８と、サイクリックプリフィクス挿入機３０９と、互換（Compatible）プロセッサ３１０とを含む。
【００４１】
このように構成された送信機の動作に関して図６を参照して具体的に説明する。
上位階層で作られた物理階層パケットデータは、チャネル符号化器３０１に入力されてチャネル符号化され、チャネル符号化されたビット列はダイバシティー利得を得るためにチャネルインターリーバ３０２を通じて混じることになる。インターリービングされたビット列は、変調器３０３に入力されて変調信号に変換される。ここで、変調信号はデータトーン（data Tone）２０３に配置される。
【００４２】
次に、変調器３０３から出力された信号は、境界トーン挿入機３０４に入力されて帯域境界付近の境界トーン２０１に配置され、パイロットトーン挿入機３０５を通じて等間隔でパイロットトーン２０２に配置される。
【００４３】
以後、トーン電力割り当て機６０６で該当ＯＦＤＭシンボルがスロット境界に位置するか、中央に位置するかによって、即ち、該当シンボルの位置によってパイロットトーンに割り当てられる電力を調節する。これに対し、図５Ａを参照してより具体的に説明すれば、スロットの境界に位置したＯＦＤＭシンボル１２１、１２４であれば、電力比Ｒ＿Ｓｉｄｅを適用してパイロットトーンとデータトーンの電力を割り当てる。また、スロットの中央に位置したＯＦＤＭシンボル１２２、１２３であれば、電力比Ｒ＿Ｃｅｎｔｅｒを適用してパイロットトーンとデータトーンの電力を割り当てる。前述したように、Ｒ＿Ｓｉｄｅ及びＲ＿Ｃｅｎｔｅｒ値は予め設定された値である。
【００４４】
以後、全てのトーンに伝送される信号が割り当てられれば、ＱＰＳＫ拡散器３０７にてＱＰＳＫ拡散過程を経る。ＱＰＳＫ拡散過程を経た変調信号は、逆高速フーリエ変換器３０８で逆高速フーリエ変換過程を通じて希望する周波数トーンの位置に置かれた後、サイクリックプリフィクス挿入機３０９を通じてＣＰを挿入する過程を経た後、送信するＯＦＤＭ信号が完成される。
【００４５】
本発明の実施形態において、パイロットトーン電力とデータトーンの電力の比をＯＦＤＭシンボルの位置によって異なる値を設定できるようにするが、ＯＦＤＭシンボルの特定位置のための固定された値の電力の比を使用することができる。しかしながら、高速パケットデータシステムにおいて、全てのスロットでＯＦＤＭシンボルを伝送しないこともあるので、固定された電力比を使用しないで、電力比の値を場合によって変更可能にすることができる。
【００４６】
このように、固定された電力比を使用しないで、電力比の値を場合によって変更するために、基地局はＨＲＰＤシステムにおいて、ＢＣＭＣＳサービスを支援するために使用する信号メッセージ（e. g. Broadcast Overhead Message）にＯＦＤＭシンボルの位置に基づいた電力比に関する情報を含めて端末機に現在使用中のパイロットトーン電力とデータトーンの電力比を知らせてくれることができるようにする。
【００４７】
上記のように、パイロットトーン電力とデータトーン電力の比を流動的に設定するために、次のような２つの実施形態を考えることができる。
【００４８】
まず、第１実施形態で、基地局がＯＦＤＭシンボルが伝送されるスロットで共通に適用されるパイロットトーン電力とデータトーン電力の比を表す情報を端末機に知らせてくれるようにする。前述した第１実施形態のように、基地局が共通的に適用される電力比を端末機に知らせてくれるための信号メッセージの構造は、下記の表１のように表す。
【００４９】
【表１】
2008522540.tif 000003
【００５０】
前述した表１は、本発明の実施形態のために使用するフィールドのみを表示したものであって、ＢＣＭＣＳ支援のために使われる他のフィールドは図示を省略する。表１において、信号メッセージは２種類のシンボルに対するパイロットトーン電力とデータトーン電力の比を知らせてくれるようになっている。ＨＲＰＤシステムでは、１つのスロットで４個のＯＦＤＭシンボルを伝送することを仮定して各々のシンボルに対するパイロットトーン電力とデータトーン電力の比を知らせてくれることができる。しかしながら、スロットの中に位置する２つのシンボルと境界に位置する２つのシンボルの特性が類似するので、信号メッセージの負荷を減らす方向に２つのシンボルに対するパイロットトーン電力とデータトーン電力の比を知らせてくれるようにする。表１の各フィールドに対する説明は、次の通りである。
【００５１】
まず、‘DualPDREnabled’フィールドは、上記の２種類のシンボルに対するパイロットトーン電力とデータトーン電力の比（Dual Pilot to Data tone power Ratio：Ｄｕａｌ ＰＤＲ）を使用するか否を表すフィールドである。上記のフィールド値が‘１’の場合、上記のＤｕａｌ ＰＤＲを使用することを表す。しかしながら、フィールド値が‘０’の場合、１種類のパイロットトーン電力とデータトーン電力の比のみを使用することを表す。
【００５２】
‘EBCMCSTransmissionFormat’フィールドは、伝送フォーマットを表すためのものである。上記フィールドのＭＳＢ（Most Significant Bit）が‘０’であれば、可変型式（Variable Format）を支援しない伝送フォーマットを使用するものであり、上記フィールドのＭＳＢが‘１’であれば、可変型式を支援する伝送フォーマットを使用するものである。可変型式は多重スロット伝送を行う場合、スロット別に異なるフォーマットのＯＦＤＭシンボルを伝送することを許容するものである。本発明の実施形態によれば、ここで、可変型式のためのＯＦＤＭシンボルのフォーマットは、Cyclic Prefixの大きさ、Pilot Toneの個数、及びGuard Toneの個数に定義される。即ち、可変型式を支援する場合、スロット別に互いに異なる大きさのCyclic Prefix、Pilot Tone、及びGuard Toneを適用したＯＦＤＭシンボルを伝送できることになり、したがってスロット別に適したＰＤＲの値が異なることができる。このような理由により可変型式を支援する場合、型式の変化の以前と以後のＤＰＲ値を異なるように設定する必要がある。
【００５３】
‘DCPilotToDataGain’フィールドは、直流パイロットトーン電力とデータトーン電力の比を表す値である。本発明の第１実施形態では、Ｄｕａｌ ＰＤＲを交流パイロットトーンのみに適用することを仮定するため、DCPilotToDataGainは１つの値のみ定義される。
【００５４】
‘DualPDREnabledForThisLogicalChannel’フィールドは、該当論理チャネルでＤｕａｌ ＰＤＲを含むか否かを表すフィールドである。上記のフィールド値が‘１’の場合は、該当論理チャネルでＤｕａｌ ＰＤＲを使用する。したがって、上記フィールドを通じてＤｕａｌ ＰＤＲと関連したフィールドを定義することを表す。一方、フィールド値が‘０’の場合は、該当論理チャネルでＤｕａｌ ＰＤＲを使用しないことを表す。
【００５５】
‘ACPilotToDataGainRecord’フィールドは、交流パイロットトーン電力とデータトーン電力の比を表すための値である。上記‘DualPDREnabledForThisLogicalChannel’フィールドが‘０’の場合にはＤｕａｌ ＰＤＲを使用しないため、‘ACPilotToDataGainRecord’フィールドは、下記の表２Ａ、または表２Ｂの形態で表現される。
【００５６】
【表２Ａ】
2008522540.tif 000004
【表２Ｂ】
2008522540.tif 000005
【００５７】
上記の表２Ａは、可変型式を使用しない場合に対する交流パイロットトーン電力とデータトーン電力の比を表し、表２Ｂは可変型式を使用する場合に対する交流パイロットトーン電力とデータトーン電力の比を表す。
【００５８】
上記の表２Ａは、‘DualPDREnabledForThisLogicalChannel’フィールドが‘０’であり、‘EBCMCSTransmissionFormat’フィールドのＭＳＢが‘０’の場合、即ちＤｕａｌ ＰＤＲと可変型式を使用しない場合に‘ACPilotToDataGainRecord’フィールドが表現される方式である。‘ACPilotToDataGain’フィールドは交流パイロットトーン電力とデータトーン電力の比を表すものであって、該当シンボルの位置に関らず、同一な値に定義される。
【００５９】
上記の表２Ｂは、‘DualPDREnabledForThisLogicalChannel’フィールドが‘０’であり、EBCMCSTransmissionFormat’フィールドのＭＳＢが‘１’の場合、即ちＤｕａｌ ＰＤＲは使用しないで、可変型式を使用する場合に‘ACPilotToDataGainRecord’フィールドが表現される方式である。‘ACPilotToDataGain 1’フィールドは、伝送フォーマットが変わる前、交流パイロットトーン電力とデータトーン電力の比を表し‘ACPilotToDataGain 2’フィールドは伝送フォーマットが変わった後、交流パイロットトーン電力とデータトーン電力の比を表すものであって、該当シンボルの位置に関わらず、同一な値に定義される。
【００６０】
一方、‘DualPDREnabledForThisLogicalChannel’フィールドが‘１’の場合は、Ｄｕａｌ ＰＤＲを使用するために、‘ACPilotToDataGainRecord’フィールドは、下記の表２Ｃ、または、表２Ｄの形態で表現される。
【００６１】
【表２Ｃ】
2008522540.tif 000006
【表２Ｄ】
2008522540.tif 000007
【００６２】
上記の表２Ｃは、可変型式を使用しない場合に対する交流パイロットトーン電力とデータトーン電力の比を表し、表２Ｄは、可変型式を使用する場合に対する交流パイロットトーン電力とデータトーン電力の比を表す。
【００６３】
上記の表２Ｃは、‘DualPDREnabledForThisLogicalChannel’フィールドが‘１’であり、‘EBCMCSTransmissionFormat’フィールドのＭＳＢが‘０’の場合、即ちＤｕａｌ ＰＤＲを使用し、可変型式は使用しない場合に‘ACPilotToDataGainRecord’フィールドが表現される方式である。‘ACInternalPilotToDataGain’フィールドは、１つのスロットで伝送されるＯＦＤＭシンボルのうち、中のシンボルの伝送のために使用するパイロットトーン電力とデータトーンの電力比の値を含むフィールドであり、‘ACBoundaryPilotToDataGain’フィールドは、１つのスロットで伝送されるＯＦＤＭシンボルのうち、縁のシンボルの伝送のために使用するパイロットトーン電力とデータトーンの電力比の値を含むフィールドである。
【００６４】
上記の表２Ｄは、‘DualPDREnabledForThisLogicalChannel’フィールドが‘１’であり‘EBCMCSTransmissionFormat’フィールドのＭＳＢが‘１’の場合、即ちＤｕａｌ ＰＤＲと可変型式を全て使用する場合に、‘ACPilotToDataGainRecord’フィールドが表現される方式である。‘ACInternalPilotToDataGain 1’フィールドと‘ACBoundaryPilotToDataGain 1’フィールドは、伝送フォーマットが変わる前に使用する値であって、各々１つのスロットで伝送されるＯＦＤＭシンボルのうち、中のシンボルの伝送のために使用するパイロットトーン電力とデータトーンの電力比の値と、１つのスロットで伝送されるＯＦＤＭシンボルのうち、縁のシンボルの伝送のために使用するパイロットトーン電力とデータトーンの電力比の値を含むフィールドである。
【００６５】
一方、‘ACInternalPilotToDataGain 2’フィールドと、‘ACBoundaryPilotToDataGain 2’フィールドは、伝送フォーマットが変わった後に使用する値であって、各々１つのスロットで伝送されるＯＦＤＭシンボルのうち、中のシンボルの伝送のために使用するパイロットトーン電力とデータトーンの電力比の値と、１つのスロットで伝送されるＯＦＤＭシンボルのうち、縁のシンボルの伝送のために使用するパイロットトーン電力とデータトーンの電力比の値を含むフィールドである。
【００６６】
一方、第２実施形態において、基地局が各インターレース別にＯＦＤＭシンボルが伝送されるスロットで適用されるパイロットトーン電力とデータトーン電力の比を端末機に知らせてくれるようにする。ＨＲＰＤシステムは、４−スロットインターレース（4-slot interlace）伝送方式で動作して、１つまたは１つ以上のインターレースをＯＦＤＭシンボル伝送に使用可能である。したがって、ＯＦＤＭシンボル伝送時、各インターレース別にパイロットトーン電力とデータトーンの電力比の値を異なるように設定することができる。
【００６７】
前述した第２実施形態のように、基地局がＯＦＤＭシンボル伝送時、各インターレース別にパイロットトーン電力とデータトーンの電力比の値を異なるように設定し、これを端末機に知らせてくれるための信号メッセージの構造は、下記の表３のように表す。
【００６８】
【表３】
2008522540.tif 000008
【００６９】
上記の表３は、本発明のために使用するフィールドのみを表示したものであって、ＢＣＭＣＳ支援のために使われる他のフィールドに対する図示は省略する。表３から見れば、信号メッセージは２種類のシンボルに対するパイロットトーン電力とデータトーン電力の比を知らせてくれることができるフィールドを含む。
【００７０】
信号メッセージに各々のシンボルに対するパイロットトーン電力とデータトーン電力の比を知らせてくれるためのフィールドを含むことができる。しかしながら、信号メッセージの負荷を減らすために、上記の表３のように、信号メッセージは２種類のシンボルに対するパイロットトーン電力とデータトーン電力の比を知らせるためのフィールドを含むようにする。
【００７１】
次に、上記の表３の各フィールドに関して説明する。
‘PilotToneToDataTonePowerRatioIncluded’フィールドは、パイロットトーン電力とデータトーンの電力比の値を含むか否かを表す。仮に、このフィールドの値が‘０’であればパイロットトーン電力とデータトーン電力の比を含まないで、デフォルト値を使用することを意味する。また、このフィールドの値が‘１’であれば、全てのＯＦＤＭシンボル伝送時に使われるパイロットトーン電力とデータトーン電力の比を含むことを意味する。
【００７２】
また、‘InterlaceXIncluded’は、インターレース‘Ｘ’スロットを利用して伝送するための情報を含むか否かを表すフィールドである。ここで、‘Ｘ’は０、１、２、または３である。このフィールドの値が‘０’であれば、伝送情報が含まれていないことを表し、‘１’であれば伝送情報が含まれていることを表す。
【００７３】
そして、‘CenterSymbolsPTDTPRX（Pilot Tone To Data Tone Power Ratio for Center Symbols transmitted in interlace X slots、X＝0, 1, 2, or 3）’フィールドは、インターレースＸに含まれる１つのスロットで伝送されるＯＦＤＭシンボルのうち、中のシンボルの伝送のために使用するパイロットトーン電力とデータトーンの電力比の値を含む。この際、‘CenterSymbolsPTDTPRX’フィールドは、‘PilotToneToDataTonePowerRatioIncluded’フィールドが‘１’であり、‘InterlaceXIncluded’フィールドが‘１’の場合のみ含まれる。
【００７４】
また、‘SideSymbolsPTDTPRX（Pilot Tone To Data Tone Power Ratio for Side Symbols transmitted in interlace X slots、X＝0, 1, 2, or 3）’フィールドは、インターレースＸに含まれる１つのスロットで伝送されるＯＦＤＭシンボルのうち、縁のシンボルの伝送のために使用するパイロットトーン電力とデータトーンの電力比の値を表すフィールドである。‘SideSymbolsPTDTPRX’フィールドは、‘PilotToneToDataTonePowerRatioIncluded’フィールドが‘１’であり、‘InterlaceXIncluded’フィールドが‘１’の場合のみ含まれる。
【００７５】
上記の表１乃至表３で使われるＮは、パイロットトーン電力とデータトーンの電力比の値を表すために使われる値であって、ｄＢ値を明示したり、または伝送される前にコード化（coded）されて使われることができ、Ｎの大きさによって解像度（resolution）が変わることができる。
【００７６】
次に、本発明の実施形態により伝送しようとするスロットのパイロットトーン電力とデータトーン電力の比をＯＦＤＭシンボルの位置によって異なる値を設定するようにして、特定ＯＦＤＭシンボルの位置毎に固定された値の電力の比を常に使用することができるようにするための送信機に関して図７を参照しつつ説明する。
【００７７】
図７は、本発明の実施形態により放送サービスのための高速パケットデータシステムにおける送信機の動作を示す順序図である。本発明において、放送サービスのための高速パケットシステムでの送信機は基地局である。
【００７８】
ステップ７０１で、送信機は伝送しようとする放送データをチャネル符号化器３０１、チャネルインターリーバ３０２、及び変調器３０３を経てデータトーンを発生する。以後、ステップ７０２で、境界トーンを挿入した後、ステップ７０３で、パイロットトーンを挿入する。そして、ステップ７０４で、送信機は該当ＯＦＤＭシンボルがスロットの中央に位置するか境界に位置かに対して検査する。検査結果、境界に位置したものであれば、ステップ７０５で、送信機は電力比Ｒ＿Ｓｉｄｅを適用してパイロットトーンとデータトーンの電力を割り当てて、ＯＦＤＭシンボルがスロットの中央に位置したものであれば、ステップ７０６で、送信機は電力比Ｒ＿Ｃｅｎｔｅｒを適用してパイロットトーンとデータトーンの電力を割り当てる。
【００７９】
以後、ステップ７０７で、送信機はＱＰＳＫ拡散器３０７を通じてＢＣＭＣＳコンテンツ識別子毎に互いに異なるＱＰＳＫ拡散を遂行した後、ステップ７０８で、逆高速フーリエ変換器３０８を通じて逆高速フーリエ変換を遂行する。以後、フーリエ変換されたシンボルにサイクリックプリフィクス挿入機３０９を通じてＣＰを挿入してＯＦＤＭ信号を完成する。以後、ステップ７０９で、送信機はＨＲＰＤ互換プロセッサ３１０を通じてＨＲＰＤと互換性を有するようにする後続作業を遂行し、ステップ７１０で、完成されたＯＦＤＭ信号を伝送する。
【００８０】
前述した送信機において、図７のような動作を経て生成されたＯＦＤＭ信号の出力時、これを受信する受信機で放送信号を復旧する過程に関して図８を参照しつつ説明する。
【００８１】
図８は、本発明の実施形態により放送サービスのための高速パケットデータシステムにおける受信機の動作を示す順序図である。本発明の実施形態において、放送サービスのための高速パケットデータシステムでの受信機は端末機である。
【００８２】
受信機は、ステップ８０１で、送信機である基地局からＲ＿ＳｉｄｅとＲ＿Ｃｅｎｔｅｒの値を受信する。仮に、通報されなかったら初期 Ｒ＿Ｓｉｄｅ、Ｒ＿Ｃｅｎｔｅｒ値を使用する。受信機は、ステップ８０２で、ＢＣＭＣＳスロットが受信されればＯＦＤＭシンボルを抽出し、ステップ８０３に進行してＱＰＳＫ逆拡散過程を遂行する。
【００８３】
以後、ステップ８０４に進行して、受信機はチャネル推定を遂行するが、スロット境界に位置したＯＦＤＭシンボルであるかを検査する。仮に、受信したＯＦＤＭシンボルがスロットの境界に位置するものである場合には、ステップ８０５に進行してパイロットトーンとデータトーンの電力比Ｒ＿Ｓｉｄｅを適用してチャネルを推定する。
【００８４】
一方、受信したＯＦＤＭシンボルがスロットの中央に位置するものである場合には、ステップ８０６に進行してパイロットトーンとデータトーンの電力比Ｒ＿Ｃｅｎｔｅｒを適用してチャネルを推定する。このようにステップ８０５とステップ８０６でのチャネル推定過程では、ＯＦＤＭシンボルに近接したパイロットトーンを利用する。このように推定されたチャネルを利用して、受信機はステップ８０７で、データトーンを抽出して復調する。以後、受信機は復調したデータを利用してステップ８０８で、最終的に復号を通じて送信機から伝送された放送信号を復元する。
【００８５】
図７及び図８では、１つのスロットに４個のＯＦＤＭシンボルが存在すると仮定した。しかしながら、４個のＯＦＤＭだけでなく、多数個のＯＦＤＭシンボルが存在しても上記のような方法により適用可能である。即ち、スロットの境界に位置したＯＦＤＭシンボルのパイロットトーンとデータトーンの電力比をＲ＿Ｓｉｄｅに、スロットの境界に位置しない残りのＯＦＤＭシンボルのパイロットをＲ＿Ｃｅｎｔｅｒに適用することができる。
【００８６】
下記では本発明の他の実施形態を簡略に説明する。上記の図５から図８までの実施形態では、１つのＯＦＤＭ ＢＣＭＣＳスロットに隣接した位置に少なくとも１つのＣＤＭスロットが存在している場合を含んでいる。しかしながら、ＯＦＤＭスロットに隣接して１つのＣＤＭスロットから構成されている場合、ＣＤＭスロットと直接隣接したＯＦＤＭスロット内のＯＦＤＭシンボルのパイロットトーンとデータトーンの電力比をＲ＿Ｓｉｄｅのみでも設定することができる。
【００８７】
図９は、ＯＦＤＭ ＢＣＭＣＳスロットが連続して伝送される場合を示す図である。４１２と４１３は同一な放送情報を伝送するＯＦＤＭ ＢＣＭＣＳスロットであって、受信機は４１２と４１３を全て受信する。しかしながら、ＢＣＭＣＳ受信機は４１１と４１４を受信しない。このような状況では、ＯＦＤＭシンボル１２４を復調するためのチャネル推定でＯＦＤＭ ＢＣＭＣＳスロット４１３のＯＦＤＭシンボルを利用することができる。したがって、本発明の実施形態では、１２１と１２４は全てスロットの境界に位置したＯＦＤＭシンボルであるが、パイロットトーン対データトーンの電力比は異なるように設定する必要がある。
【００８８】
このような状況での問題を解決するために、本発明の実施形態では、スロット内ＯＦＤＭシンボルの位置別に互いに異なるパイロットトーン対データトーンの電力比を異なるように設定する方法に拡張されることができる。
【００８９】
このような電力比を知らせてくれるための信号メッセージの構造は、下記の表４のように表す。
【００９０】
【表４】
2008522540.tif 000009
【００９１】
上記の表４は、本発明の実施形態のために使用するフィールドのみを表示したもので、ＢＣＭＣＳ支援のために使われる他のフィールドは図示を省略する。表４の各フィールドに対する説明は、次の通りである。
【００９２】
‘PilotToneToDataTonePowerRatioIncluded’フィールドは、パイロットトーン電力とデータトーンの電力比の値を含むか否かを表すフィールドである。このフィールド値が‘０’の場合には、パイロットトーン電力とデータトーン電力の比を含まないで、初期に設定されたデフォルト（default）値を使用するようにすることを表す。また、このフィールド値が‘１’の場合には、全てのＯＦＤＭシンボルの伝送時に使われるパイロットトーン電力とデータトーン電力の比を含むことを表す。
【００９３】
また、‘InterlaceXIncluded’フィールドは、インターレース‘Ｘ’スロットを利用して伝送するための情報を含むか否かを表すフィールドである。この際、‘Ｘ’は０、１、２、または３である。このフィールドの値が‘０’であれば、伝送情報が含まれていないことを表し、‘１’であれば、伝送情報が含まれていることを表す。
【００９４】
‘FirstSymbolsPTDTPRX（Pilot Tone to Data Tone Power Ratio for the First Symbols transmitted in interlace X slots、X=0, 1, 2, or 3）’フィールドは、１つのスロットで伝送されるＯＦＤＭシンボルのうち、図９の１２１ＯＦＤＭシンボルのように該当スロットで最初に伝送されるシンボルの伝送のために使用するパイロットトーン電力とデータトーンの電力比の値を含む。この際、‘FirstSymbolsPTDTPRX’フィールドは、‘PilotToneToDataTonePowerRatioIncluded’が‘１’であり、‘InterlaceXIncluded’が‘１’の場合のみ含まれる。
【００９５】
‘SecondSymbolsPTDTPRX（Pilot Tone to Data Tone Power Ratio for the Second Symbols transmitted in interlace X slots、X=0, 1, 2, or 3）’フィールドは、１つのスロットで伝送されるＯＦＤＭシンボルのうち、図９の１２２ＯＦＤＭシンボルのように該当スロットで２番目に伝送されるシンボルの伝送のために使用するパイロットトーン電力とデータトーンの電力比の値を含む。この際、‘SecondSymbolsPTDTPRX’フィールドは‘PilotToneToDataTonePowerRatioIncluded’が‘１’であり、‘InterlaceXIncluded’が‘１’の場合のみ含まれる。
【００９６】
‘ThirdSymbolsPTDTPRX（Pilot Tone to Data Tone Power Ratio for the Third Symbols transmitted in interlace X slots、X=0, 1, 2, or 3）’フィールドは、１つのスロットで伝送されるＯＦＤＭシンボルのうち、図９の１２３ＯＦＤＭシンボルのように該当スロットで３番目に伝送されるシンボルの伝送のために使用するパイロットトーン電力とデータトーンの電力比の値を含む。この際、‘ThirdSymbolsPTDTPRX’フィールドは、‘PilotToneToDataTonePowerRatioIncluded’が‘１’であり、‘InterlaceXIncluded’が‘１’の場合のみ含まれる。
【００９７】
‘FourthSymbolsPTDTPRX（Pilot Tone to Data Tone Power Ratio for the Fourth Symbols transmitted in interlace X slots、X=0, 1, 2, or 3）’フィールドは、１つのスロットで伝送されるＯＦＤＭシンボルのうち、図９の１２４ＯＦＤＭシンボルのように該当スロットで最後に伝送されるシンボルの伝送のために使用するパイロットトーン電力とデータトーンの電力比の値を含む。この際、‘FourthSymbolsPTDTPRX’フィールドは、‘PilotToneToDataTonePowerRatioIncluded’が‘１’であり、‘InterlaceXIncluded’が‘１’の場合のみ含まれる。
【００９８】
図１０は、ＯＦＤＭシンボルの位置別に互いに異なるパイロットトーン対データトーン電力の比を使用する本発明の実施形態に係る放送サービスのための高速パケットデータシステムにおける送信機の動作を示す順序図である。本発明において、放送サービスのための高速パケットシステムでの送信機は基地局である。
【００９９】
ステップ１０で、送信機は伝送しようとする放送データをチャネル符号化器３０１、チャネルインターリーバ３０２、変調器３０３を経てデータトーンを発生する。以後、ステップ１１で、境界トーンを挿入した後、ステップ１２で、パイロットトーンを挿入する。
【０１００】
ステップ１３で、送信機は該当ＯＦＤＭシンボルがスロットの最初に位置するか否かを判断する。仮に、スロットの最初のＯＦＤＭシンボルであれば、ステップ１４で、電力比Ｒ＿１を適用してパイロットトーンとデータトーンの電力を割り当てる。そうでない場合、ステップ１５で、ＯＦＤＭシンボルがスロットの２番目に位置するか否かを判断する。仮に、スロットの２番目のＯＦＤＭシンボルであれば、ステップ１６で、Ｒ＿２を適用してパイロットトーンとデータトーンの電力を割り当てる。そうでない場合、 ステップ１７で、ＯＦＤＭシンボルがスロットの３番目に位置するか否かを判断する。仮に、スロットの３番目のＯＦＤＭシンボルであれば、ステップ１８で、Ｒ＿３を適用してパイロットトーンとデータトーンの電力を割り当てる。そうでない場合、ＯＦＤＭシンボルはスロットの最後に位置することを意味するので、ステップ１９で、Ｒ＿４を適用してパイロットトーンとデータトーンの電力を割り当てる。
【０１０１】
以後、ステップ２０で、送信機はＱＰＳＫ拡散器３０７を通じてＢＣＭＣＳコンテンツ識別子別に互いに異なるＱＰＳＫ拡散を遂行した後、ステップ２１で、逆高速フーリエ変換器３０８を通じて逆高速フーリエ変換を遂行する。以後、フーリエ変換されたシンボルにサイクリックプリフィクス挿入機３０９を通じてＣＰを挿入してＯＦＤＭ信号を完成する。以後、ステップ２２で、送信機はＨＲＰＤ互換プロセッサ３１０を通じてＨＲＰＤと互換性を有するようにする後続作業を遂行し、ステップ２３で、完成されたＯＦＤＭ信号を伝送する。
【０１０２】
前述した送信機において、図１０のような動作を経て生成されたＯＦＤＭ信号の出力時、これを受信する受信機にて放送信号を復旧する過程に関して、図１１を参照しつつ説明する。
図１１は、他の実施形態によりＯＦＤＭシンボルの位置別に互いに異なるパイロットトーン対データトーンの電力比を使用する本発明の更に他の実施形態による放送サービスのための高速パケットデータシステムにおける受信機の動作を示す順序図である。本発明において、放送サービスのための高速パケットデータシステムでの受信機は端末機である。
【０１０３】
受信機は、ステップ３０で、送信機、または基地局からＲ＿１、Ｒ＿２、Ｒ＿３、Ｒ＿４の値を受信する。仮に、通報されなかったら、 Ｒ＿１、Ｒ＿２、Ｒ＿３、Ｒ＿４の初期値を使用する。受信機は、ステップ３１で、ＢＣＭＣＳスロットが受信されればＯＦＤＭシンボルを抽出し、ステップ３２に進行してＱＰＳＫ拡散過程を遂行する。
【０１０４】
ステップ３３で、受信機はＯＦＤＭシンボルがスロットの最初に位置するか否かを判断する。仮に、スロットの最初のＯＦＤＭシンボルであれば、受信機は、ステップ３４で、パイロットトーンとデータトーンの電力比Ｒ＿１を適用してチャネルを推定する。そうでない場合、ステップ３５で、ＯＦＤＭシンボルがスロットの２番目に位置するか否かを判断する。仮に、スロットの２番目のＯＦＤＭシンボルであれば、ステップ３６で、パイロットトーンとデータトーンの電力比Ｒ＿２を適用してチャネルを推定する。そうでない場合、ステップ３７で、ＯＦＤＭシンボルがスロットの３番目に位置する否かを判断する。仮に、スロットの３番目のＯＦＤＭシンボルであれば、ステップ３８で、パイロットトーンとデータトーンの電力比Ｒ＿３を適用してチャネルを推定する。そうでない場合、ＯＦＤＭシンボルはスロットの最後に位置することを意味するので、ステップ２９で、パイロットトーンとデータトーンの電力比Ｒ＿４を適用してチャネルを推定する。ステップ３４、３６、３８及び３９でのチャネル推定過程では、周囲のＯＦＤＭシンボルにあるパイロットトーンを利用する。
【０１０５】
このように推定されたチャネルを利用して、受信機は、ステップ４０で、データトーンを抽出して復調する。以後、受信機は復調したデータを利用してステップ４１で、最終的に復号を通じて送信機から伝送された放送信号を復元する。
【０１０６】
前述したように、本発明において、送信機はＯＦＤＭ信号を送信するスロット内にＯＦＤＭシンボルの位置によって各々異なる電力比を設定し、ＯＦＤＭ信号を受信した受信機は、該当電力比によってＯＦＤＭ信号のチャネルを推定することができるので、ＯＦＤＭＡシンボルのチャネル推定性能を改善させる。
【０１０７】
図１２は、本発明の実施形態によりＯＦＤＭシンボルの位置によって電力比を異なるように設定して送信したＯＦＤＭ信号を受信する受信機の構造のブロック構成図である。以下、図１２を参照して本発明の実施形態によりＯＦＤＭシンボルの位置によって電力比を異なるように設定して、送信機か送信したＯＦＤＭ信号を受信する受信機の構成及び動作に対して説明する。
【０１０８】
受信機はＨＲＰＤ技術と互換する。したがって、ＨＲＰＤ互換受信プロセス７１は、ＨＲＰＤ方式の信号を受信し、その中で、データに該当する部分の信号を抽出して出力し、受信される方式がＯＦＤＭ方式のデータであるか、またはＣＤＭ方式のデータであるかを区別する。このように区別する方法は、前述したように、放送サービスの場合であれば、ＭＳＢが放送サービスを指示する“１”の値を有するか否かによって決定することができる。
【０１０９】
前述したように、ＨＲＰＤシステムでは、各スロット毎にＯＦＤＭで送信された放送信号が受信された場合もあり、ＣＤＭで送信されたユニキャスト（unicast）信号または制御信号が受信された場合もある。ここではまず、受信機にてパイロットトーン電力とデータトーン電力の比を検出するために、ＣＤＭで送信された制御信号を受信する場合を説明する。ＨＲＰＤシステムから制御メッセージ、または所定のメッセージ形態で電力比メッセージが受信されれば、ＨＲＰＤ互換受信プロセス７１は、これを電力比メッセージ受信機７２に出力する。そうすると、電力比メッセージ受信機７２は、ＣＤＭ制御信号の中で、電力比メッセージを抽出し、抽出されたメッセージの中から選択された電力比の値をチャネル推定重み付け値決定器７３に出力する。ここで、電力比とは、パイロット対比データの電力比を意味する。
【０１１０】
そうすると、チャネル推定重み付け値決定器７３は、電力比の値を利用してチャネル推定に必要なチャネル別重み付け値を決定する。そして、このように決定されたチャネル重み付け値はチャネル推定器７８に出力される。
【０１１１】
次に、ＯＦＤＭ方式で送信された信号に対して説明する。ＯＦＤＭ方式で送信された信号はＯＦＤＭ処理部１２００に入力される。そうすると、ＯＦＤＭ処理部１２００でデータが処理される過程に対して説明する。
【０１１２】
ＯＦＤＭ処理部１２００は、受信された信号でサイクリックプリフィクス（cyclic prefix）を除去するためにＣＰ除去器７４に入力される。ＣＰ除去器７４は、受信された信号で伝播遅延及び多重経路などにより汚染されたＣＰを除去し、ＦＦＴ処理部７５に出力する。そして、ＦＦＴ処理部７５は、入力された時間領域の信号を周波数領域の信号に変換した後、これを出力する。そうすると、ＱＰＳＫ逆拡散器７６は、周波数領域の信号をＱＰＳＫ逆拡散してパイロットトーン抽出器７７に出力する。このように、ＱＰＳＫ逆拡散を遂行する理由は、送信機からＱＰＳＫ拡散信号が伝送されたためである。図３に示すように、境界トーンとパイロットトーン及びデータトーンなどが混在している形態で出力される。そうすると、パイロットトーン抽出器７７では、ＱＰＳＫ逆拡散した信号からパイロットトーンを抽出してチャネル推定器７８に出力し、残りのトーンはデータトーン抽出器７９に出力する。データトーン抽出器７９は、パイロットトーン抽出器７７から出力されたトーンのうち、データに該当するトーンのみを抽出して復調器８０に出力する。
【０１１３】
このように、パイロットトーン抽出器７７で抽出されたパイロットトーンは、チャネル推定器７８に入力される。そうすると、チャネル推定器７８は、チャネル推定重み付け値決定器７３で決定された重み付け値を利用してチャネルを推定する。
【０１１４】
このようにチャネルが推定されれば、チャネル推定値は復調器８０に入力される。復調器８０はチャネル推定値を利用してデータトーンの復調を遂行して出力する。そうすると、復調した信号はディインターリーバ８１でディインターリービングされて復号器８２に入力される。復号器８２は、ディインターリービングされた信号で復号して伝送された信号を復元する。即ち、放送サービスが伝送された場合であれば、放送信号を復元するものである。
【０１１５】
図１３は、本発明の実施形態に係る受信機でＨＲＰＤ方式により伝送されたＯＦＤＭ信号の受信のための順序図である。以下、図１３を参照して本発明の実施形態に係るＨＲＰＤシステムの受信機にてＯＦＤＭ信号を受信するための過程に対して詳細に説明する。
【０１１６】
図１３を参照すれば、まず受信機は、ステップ５１で、電力比メッセージを受信する。このような電力比メッセージの受信は、送信方法によって変わる。このように、電力比メッセージを受信すれば、前述したように、電力比メッセージ受信機７２、チャネル推定重み付け値決定器７３、及びチャネル推定器７８を通じてチャネル推定値が決定される。受信機は、ステップ５２で、前述したようなメッセージを通じて受信されたDCPilotToDataRatioを読取って、直流パイロットトーン電力とデータトーンの電力比を格納する。この際、ＯＦＤＭシンボルを送信する外部に位置するパイロットトーンの電力情報と内部に位置するパイロットトーン電力情報とデータトーンの電力に対する情報を各々格納する。その後、受信機はステップ５３で、受信された信号のEBCMCSTransmissionFormatのうち、ＭＳＢが“１”であるか否かを検査する。仮に、ＭＳＢが１の場合、ステップ５４に進行し、そうでない場合、ステップ５５に進行する。
【０１１７】
ステップ５５に進行する場合、受信機はDualPDREnabledForThisLogicalCHの値が１であるか否かを検査する。検査結果、DualPDREnabledForThisLogicalCHの値が１の場合、ステップ６２に進行する。そうでなければ、ステップ６１に進行する。ステップ６２に進行すれば、受信機はスロットの順序に関らず、ACPilotToDataRatioOuterSymbolsと、ACPilotToDataRatioInnerSymbolsを読取って、各々の中のＯＦＤＭシンボルと縁のＯＦＤＭシンボルで、交流パイロットトーン電力とデータトーン電力の比を格納する。一方、ステップ５６からステップ６１に進行すれば、スロットの順序とＯＦＤＭシンボルのスロット内の順序や位置に関らず、ACPilotToDataRatioを読取って、交流パイロットトーン電力とデータトーン電力の比を格納する。
【０１１８】
一方、ステップ５３からステップ５４に進行すれば、受信機は、DualPDREnabledForThisLogicalCHの値が１であるか否かを検査する。ステップ５４の検査結果、DualPDREnabledForThisLogicalCHの値が１の場合、ステップ６４に進行し、１でない場合、ステップ６３に進行する。
【０１１９】
ステップ６４に進行すれば、受信機は伝送フォーマットが変わる前のスロットに対してACPilotDataRatioOuterSymbol 1と、ACPilotDataRatioInnerSymbol 1を読取って、各々の内部のＯＦＤＭシンボルと外部ＯＦＤＭシンボルでの交流パイロットトーン電力とデータトーン電力の比を格納する。そして、受信機は伝送フォーマットが変わった以後に、スロットに対してACPilotDataRatioOuterSymbol 2と、ACPilotDataRatioInnerSymbol 2を読取って、各々の中のＯＦＤＭシンボルと外部のＯＦＤＭシンボルでの交流パイロットトーン電力とデータトーン電力の比を個別的に格納する。
【０１２０】
一方、ステップ６３に進行する場合、受信機はＯＦＤＭシンボルのスロット内の位置に関らず、ACPilotToDataRatio 1と、ACPilotToDataRatio 2を読取って、各々伝送フォーマットが変わる前のスロットと伝送フォーマットが変わった後のスロットでの交流パイロットトーン電力とデータトーン電力の比を格納する。
【０１２１】
前述したように、ステップ６１、またはステップ６２、またはステップ６３、またはステップ６４を遂行した以後に、受信機はステップ６５に進行してパイロットトーンの受信シンボルを格納する。その後、受信機はステップ６６に進行して格納された直流パイロットトーン電力とデータトーン電力の比と交流パイロットトーン電力とデータトーン電力の比を考慮してチャネル推定重み付け値を決定する。以後、ステップ６７で、チャネル推定器の重み付け値を使用してパイロットトーンの受信シンボルを結合し挿入することにより、データトーンが経験したチャネルを推定し、チャネル推定値を格納する。そして、受信機は、ステップ６８で、データトーンをチャネル推定値を利用して復調及び復号過程を遂行して放送信号を復旧する。
【０１２２】
一方、本発明の詳細な説明では具体的な実施形態に関して説明したが、本発明の範囲を逸脱しない限り、各種の実施形態が提供可能である。例えば、本発明の実施形態では、放送サービス（ＢＣＭＣＳ）伝送がＨＲＰＤ技術と互換性を有しながら直交周波数分割多重化（ＯＦＤＭ）伝送方式に基づいたシステムに適用される。しかしながら、ＯＦＤＭ基盤の他の放送システムにも前述した本発明が適用可能である。よって、本発明の真の技術的な範囲は上述の実施形態によって定まるものではなく、特許請求の範囲とその均等物によって定まるべきである。
【図面の簡単な説明】
【０１２３】
【図１】一般的な高速パケットデータ（ＨＲＰＤ）移動通信システム順方向リンクのスロット構造を示す図である。
【図２】ＢＣＭＣＳサービス用にＨＲＰＤ順方向リンクスロットのデータ伝送区間にＯＦＤＭシンボルを挿入したスロット構造を示す図である。
【図３】高速パケットデータシステムにおける一般的なトーン配置方法を示す図である。
【図４】高速パケットデータシステムにおける一般的な送信機の構造を示す図である。
【図５Ａ】ＣＤＭスロットの間にＯＦＤＭ ＢＣＭＣＳスロットを伝送するための構造を示す図である。
【図５Ｂ】ＯＦＤＭ ＢＣＭＣＳスロットの間にＯＦＤＭ ＢＣＭＣＳスロットを伝送するための構造を示す図である。
【図６】本発明の実施形態に係る放送サービスのための高速パケットデータシステムにおける送信機の構造を示す図である。
【図７】本発明の実施形態に係る放送サービスのための高速パケットデータシステムにおける送信機の動作を示す図である。
【図８】本発明の実施形態に係る放送サービスのための高速パケットデータシステムにおける受信機の動作を示す図である。
【図９】ＣＤＭスロットの間にＯＦＤＭ ＢＣＭＣＳスロットを連続して伝送するための構造を示す図である。
【図１０】本発明の更に他の実施形態に係る放送サービスのための高速パケットデータシステムにおける送信機の動作を示す図である。
【図１１】本発明の実施形態に係る放送サービスのための高速パケットデータシステムにおける受信機の動作を示す順序図である。
【図１２】本発明の実施形態によりＯＦＤＭシンボルの位置によって電力比を異なるように設定して送信機が送信したＯＦＤＭ信号を受信する受信機の構造のブロック構成図である。
【図１３Ａ】本発明の実施形態に係る受信機でＨＲＰＤ方式によりＯＦＤＭ信号の受信のための制御フローチャートである。
【図１３Ｂ】本発明の実施形態に係る受信機でＨＲＰＤ方式によりＯＦＤＭ信号の受信のための制御フローチャートである。
【符号の説明】
【０１２４】
３０１    チャネル符号化器
３０２    チャネルインターリーバ
３０３    変調器
３０４    境界トーン挿入機
３０５    パイロットトーン挿入機
６０６    トーン電力割り当て機
３０７    ＱＰＳＫ拡散器
３０８    逆高速フーリエ変換器
３０９    サイクリックプリフィクス挿入機
３１０    互換（Compatible）プロセッサ
７１      ＨＲＰＤ互換受信プロセッサ
７２      電力比メッセージ受信機
７３      チャネル推定重み付け値決定器
７４      ＣＰ除去器
７５      ＦＦＴ処理部
７６      ＱＰＳＫ逆拡散器
７７      パイロットトーン抽出器
７８      チャネル推定器
７９      データトーン抽出器
８０      復調器
８１      ディインターリーバ
８２      復号器
１２００  ＯＦＤＭ処理部
【図１】
2008522540.tif 000010
【図２】
2008522540.tif 000011
【図３】
2008522540.tif 000012
【図４】
2008522540.tif 000013
【図５Ａ】
2008522540.tif 000014
【図５Ｂ】
2008522540.tif 000015
【図６】
2008522540.tif 000016
【図７】
2008522540.tif 000017
【図８】
2008522540.tif 000018
【図９】
2008522540.tif 000019
【図１０】
2008522540.tif 000020
【図１１】
2008522540.tif 000021
【図１２】
2008522540.tif 000022
【図１３Ａ】
2008522540.tif 000023
【図１３Ｂ】
2008522540.tif 000024
【国際調査報告】
2008522540.tif 000025
2008522540.tif 000026